(57)【特許請求の範囲】
【請求項１】
コンピュータである楽曲送信サーバを、
楽曲を特定する楽曲特定情報と、前記楽曲を構成するパートの編曲に関する編曲指示情報とを受信する受信手段と、
前記楽曲特定情報に対応付けられ、複数のパートデータを結合した楽曲ファイルを複数記憶する記憶手段と、
前記受信手段により受信された前記楽曲特定情報に対応する前記楽曲ファイルを前記記憶手段から抽出する楽曲抽出手段と、
前記楽曲抽出手段により抽出された前記楽曲ファイルを、前記複数のパートデータに分離する楽曲分離手段と、
前記受信手段により受信された前記編曲指示情報に基づき、所定のパートデータを編曲し、編曲パートデータを作成する編曲実行手段と、
前記編曲実行手段により作成された編曲パートデータと、前記複数のパートデータから前記所定のパートデータを除いたパートデータである原曲パートデータとを送信する送信手段と、
して機能させるための楽曲送信プログラムを記憶する記憶部と、
前記記憶部により記憶された前記楽曲送信プログラムを実行する制御部と、
を有する前記楽曲送信サーバと、
前記楽曲送信サーバに対して通信ネットワークを介して接続された端末と、を備え、
前記端末は、
位置の変位を検出するセンサと、
前記編曲パートデータと前記原曲パートデータとを受信する受信手段と、
前記受信手段により受信された前記編曲パートデータと前記原曲パートデータとに基づき、楽曲を再生する楽曲再生手段と、を有し、
前記端末の前記楽曲再生手段は、前記センサが位置の変位を検出している間は、前記原曲パートデータと共に前記編曲パートデータを再生し、前記センサが位置の変位を検出していない間は、前記原曲パートデータを再生すること、
を特徴とする楽曲送信システム。
【請求項２】
位置の変位を検出するセンサと、
複数のパートデータを結合した楽曲ファイルのうち所定のパートデータを編曲した編曲パートデータと、前記複数のパートデータから前記所定のパートデータを除いたパートデータである原曲パートデータとを受信する受信手段と、
前記受信手段により受信された前記編曲パートデータと前記原曲パートデータとに基づき、楽曲を再生する楽曲再生手段と、を有し、
前記楽曲再生手段は、前記センサが位置の変位を検出している間は、前記原曲パートデータと共に前記編曲パートデータを再生し、前記センサが位置の変位を検出していない間は、前記原曲パートデータを再生すること、
を特徴とする端末。
【請求項３】
請求項２に記載の端末において、
前記受信手段は、楽曲を特定する楽曲特定情報と、前記楽曲を構成するパートの編曲に関する編曲指示情報とを通信ネットワークを介して接続された楽曲送信サーバに送信することで、前記編曲パートデータと、前記原曲パートデータとを受信すること、
を特徴とする端末。
【発明の詳細な説明】
【技術分野】
【０００１】
本発明は、端末に対して楽曲を送信する楽曲送信プログラム、楽曲送信サーバ及び楽曲送信システムに関する。
【背景技術】
【０００２】
従来、楽器の演奏を行いたい者は、演奏したい楽器を購入し、もしくは、知人から又は楽器店のレンタル制度を利用して楽器を借りて楽器を演奏するが、楽器の演奏には、かなりの練習を必要とする。そのため、初心者にとって、軽い気持ちで楽器の演奏をしようと考えるのは早計である。また、音楽にある程度精通している者であっても、様々な種類の楽器を演奏するのは難しい。このような中、携帯電話機等の端末を用いて音楽を演奏する、電子楽器として使用可能な電話機が提案されている（例えば、特許文献１）。
【特許文献１】特開２００５−３２１５８１号公報
【発明の開示】
【発明が解決しようとする課題】
【０００３】
しかし、特許文献１に記載の電話機は、記憶部に記憶された楽曲から好みの曲や楽器の音色を選択するものであり、選択した楽曲そのものの演奏に限るものであった。よって、変化に富んだ演奏が行えず、ユーザに飽きられやすいものであった。
【０００４】
そこで、本発明は、選択した楽曲に対して変化に富んだ演奏を可能とする楽曲送信プログラム、楽曲送信サーバ及び楽曲送信システムを提供することを目的とする。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
請求項１の発明は、コンピュータ（３，２０３）楽曲送信サーバを、楽曲を特定する楽曲特定情報と、前記楽曲を構成するパートの編曲に関する編曲指示情報とを受信する受信手段（３４）と、前記楽曲特定情報に対応付けられ、複数のパートデータを結合した楽曲ファイルを複数記憶する記憶手段（３５）と、前記受信手段により受信された前記楽曲特定情報に対応する前記楽曲ファイルを前記記憶手段から抽出する楽曲抽出手段（３０Ａ）と、前記楽曲抽出手段により抽出された前記楽曲ファイルを、前記複数のパートデータに分離する楽曲分離手段（３０Ｂ）と、前記受信手段により受信された前記編曲指示情報に基づき、所定のパートデータを編曲し、編曲パートデータを作成する編曲実行手段（３０Ｃ）と、前記編曲実行手段により作成された編曲パートデータと、前記複数のパートデータから前記所定のパートデータを除いたパートデータである原曲パートデータとを送信する送信手段（３３）と、して機能させるための楽曲送信プログラム（３７Ｂ）を記憶する記憶部（３５）と、前記記憶部により記憶された前記楽曲送信プログラムを実行する制御部（３０，２３０）と、を有する前記楽曲送信サーバ（３，２０３）と、前記楽曲送信サーバに対して通信ネットワーク（２）を介して接続された端末（１，２０１）と、を備え、前記端末は、位置の変位を検出するセンサ（１２）と、前記編曲パートデータと前記原曲パートデータとを受信する受信手段（１４）と、前記受信手段により受信された前記編曲パートデータと前記原曲パートデータとに基づき、楽曲を再生する楽曲再生手段（１０Ａ）と、を有し、前記端末の前記楽曲再生手段（１０Ａ）は、前記センサが位置の変位を検出している間は、前記原曲パートデータと共に前記編曲パートデータを再生し、前記センサが位置の変位を検出していない間は、前記原曲パートデータを再生すること、を特徴とする楽曲送信システムである。
【００１０】
請求項２の発明は、位置の変位を検出するセンサと、複数のパートデータを結合した楽曲ファイルのうち所定のパートデータを編曲した編曲パートデータと、前記複数のパートデータから前記所定のパートデータを除いたパートデータである原曲パートデータとを受信する受信手段と、前記受信手段により受信された前記編曲パートデータと前記原曲パートデータとに基づき、楽曲を再生する楽曲再生手段と、を有し、前記楽曲再生手段は、前記センサが位置の変位を検出している間は、前記原曲パートデータと共に前記編曲パートデータを再生し、前記センサが位置の変位を検出していない間は、前記原曲パートデータを再生すること、を特徴とする端末である。
請求項３の発明は、請求項２に記載の端末において、前記受信手段は、楽曲を特定する楽曲特定情報と、前記楽曲を構成するパートの編曲に関する編曲指示情報とを通信ネットワークを介して接続された楽曲送信サーバに送信することで、前記編曲パートデータと、前記原曲パートデータとを受信すること、を特徴とする端末である。
なお、符号を付して説明した構成は、適宜改良してもよく、また、少なくとも一部を他の構成物に代替してもよい。
【発明の効果】
【００１１】
本発明によれば、以下の効果を奏することができる。
（１）本発明は、楽曲を特定する楽曲特定情報と、楽曲を構成するパートの編曲に関する編曲指示情報とを受信して、複数の楽曲ファイルから抽出した楽曲特定情報に対応する楽曲ファイルを複数のパートデータに分離して、編曲指示情報に基づき、所定のパートデータを編曲し、編曲パートデータを作成する。よって、選択した楽曲に対して編曲することで、編曲した楽曲を提供することができるので、変化に富んだ演奏をすることができる。また、受信した情報をもとに所定のパートデータを編曲して、逐次編曲したパートデータを記憶するので、記憶部には、編曲したパートデータを予め記憶しておく必要がなく、編曲した楽曲全体を記憶する場合に比べて、データ管理の負荷を軽減できる。
【００１２】
（２）本発明は、編曲パートデータと、編曲したパートデータを除いたパートデータの各々とを分離した状態で送信するので、送信データを受信した側では、各々のパートデータを、個々に扱うことができる。特に、各パートデータに分離した状態で再生する装置において、パートデータを分離する処理を行わずに済むため、装置のシステム負荷を軽減できる。
【００１３】
（３）本発明は、編曲パートデータと、編曲したパートデータを除いたパートデータの各々とを結合させて楽曲ファイルとして送信するので、送信データを受信した側では、楽曲ファイルとして１つのデータとして扱うことができる。特に、各パートデータに分離した状態で扱う必要のない装置において、パートデータを結合する処理を行わずに済むため、装置のシステム負荷を軽減できる。
【００１４】
（４）本発明は、編曲指示情報に基づいて、実行可能な複数のバリエーションの中から選択したバリエーションの編曲をする。よって、様々なバリエーションの編曲をすることができるので、ユーザが興味を持ち続けやすくすることができる。
【００１５】
（５）本発明は、端末が、受信した編曲したパートデータを除くパートデータと編曲パートデータとに基づき、楽曲を再生するので、様々なバリエーションの楽曲を再生することができる。
【００１６】
（６）本発明は、楽曲を再生する端末において、位置の変位を検出するセンサが変位を検出している間は、編曲したパートデータを除くパートデータに加えて編曲パートデータを再生し、センサが変位を検出していない間は、編曲したパートデータを除くパートデータを再生する。よって、端末の位置の変位に応じて、変化のある楽曲を再生することができるので、面白味のある楽曲の演奏を提供することができる。
【００１７】
（７）本発明は、楽曲を再生する端末において、位置の変位を検出するセンサが変位を検出している間は、編曲したパートデータを再生する。よって、端末の位置の変位に応じて、編曲したパートを再生することができるので、例えば、ある楽曲を複数人が異なるパートを編曲することで、各々異なる編曲したパートデータを再生でき、アレンジした楽曲を演奏しているかのような面白味のある楽曲の演奏を提供することができる。
【発明を実施するための最良の形態】
【００１８】
本発明は、選択した楽曲に対して変化に富んだ演奏を可能とする楽曲送信プログラム、楽曲送信サーバ及び楽曲送信システムを提供するという目的を、楽曲送信プログラムが、コンピュータを、楽曲を特定する楽曲特定情報と、楽曲を構成するパートの編曲に関する編曲指示情報とを受信する受信手段と、楽曲特定情報に対応付けられ、複数のパートデータを結合した楽曲ファイルを複数記憶する記憶手段と、受信された楽曲特定情報に対応する楽曲ファイルを記憶手段から抽出する楽曲抽出手段と、抽出された楽曲ファイルを、複数のパートデータに分離する楽曲分離手段と、受信された編曲指示情報に基づき、所定のパートデータを編曲し、編曲パートデータを作成する編曲実行手段と、作成された編曲パートデータと、複数のパートデータから所定のパートデータを除いたパートデータである原曲パートデータとを送信する送信手段として機能させることによって実現した。
【００１９】
（第１実施形態）
以下、本発明を実施するための最良の形態について図を参照しながら説明する。なお、これはあくまでも一例であって、本発明の技術的範囲はこれに限られるものではない。
図１は、第１実施形態に係る楽曲送信システム１００の構成及び機能ブロックを示す図である。楽曲送信システム１００は、携帯電話機１と楽曲送信サーバ３とが通信ネットワーク２を介して接続されている。携帯電話機１は、楽曲名等に代表される楽曲を特定する楽曲特定情報と、楽曲を構成する複数の楽器の担当部分（パート）のうちのあるパートの編曲を指示する編曲指示情報とを楽曲送信サーバ３に送信する。楽曲送信サーバ３は、楽曲を編曲し、編曲後の楽曲を構成する複数のパートデータを携帯電話機１に送信する。そして、携帯電話機１において、パートデータを再生することで、携帯電話機１のユーザは、好みの編曲を施した楽曲を聴くことができる。楽曲送信システム１００を利用して、例えば、プレイヤであるユーザが、リズムや楽曲に合わせて携帯電話機１を操作することで進行する、音楽ゲーム等で用いる楽曲に利用することができる。
【００２０】
携帯電話機１は、電話や電子メールの機能の他、楽曲のパートデータを再生したり、音楽ゲームを行ったりすることができる携帯型の端末である。携帯電話機１は、主な構成として、制御部１０、表示部１１、センサ１２、送信部１３、受信部１４、記憶部１５、音声出力部１６及び入力部１７を備える。制御部１０は、楽曲再生手段１０Ａを有するが、詳細は後述する。
【００２１】
携帯電話機１の制御部１０は、情報の演算、及び処理を行う情報演算処理装置（ＣＰＵ）であり、当該携帯電話機１全体を制御するものである。制御部１０は、記憶部１５に記憶された各種プログラムを適宜読み出して実行することにより、携帯電話機１のハードウェアと協働し、本発明に係る各種機能を実現している。
表示部１１は、ユーザの操作により電話や電子メールに関する表示や、ゲーム画面の表示を行うものであり、携帯電話機１に直接組み込まれている。主に、液晶表示装置（ＬＣＤ）等のディスプレイ装置を含む。
【００２２】
センサ１２は、例えば、加速度センサであり、ユーザによる携帯電話機１を振る等の操作により、携帯電話機１の位置の変位を検出する。
送信部１３及び受信部１４は、携帯電話機１から楽曲送信サーバ３に対し編曲後の楽曲の要求を送信し、楽曲送信サーバ３から携帯電話機１に楽曲のパートデータを受信するという、楽曲送信サーバ３に対してデータの送受信を行うもので、アンテナ１９に接続されている。なお、送信部１３及び受信部１４は、携帯電話機１において電話や電子メールの送受信を当然に行う。
【００２３】
記憶部１５は、楽曲のパートデータを記憶する他、制御部１０と組み合わせてプログラムの実行に使用するメモリを含んでよい。記憶部１５を実現するものとして、電気的、磁気的、光学的、電磁的に実現するものを含んでよい。より具体的には、ランダム・アクセス・メモリ（ＲＡＭ）、リードオンリー・メモリ（ＲＯＭ）等が含まれる。メモリカード等の補助記憶装置も含む概念である。
音声出力部１６は、記憶部１５に記憶された楽曲のパートデータを、スピーカ１８により再生させるための役割を果たす。
入力部１７は、ユーザによる入力の受け付けを行うものであり、各種キーやボタン等を含んでよい。
【００２４】
通信ネットワーク２は、例えば、携帯電話機１及び楽曲送信サーバ３間の通信を行うためのインターネット等の通信網である。携帯電話機１は、通常はアンテナ１９と基地局（図示せず）との間で電波による無線通信を利用することにより通信を行う。
【００２５】
楽曲送信サーバ３は、主な構成として、制御部３０、送信部３３、受信部３４及び記憶部３５を備える。制御部３０は、楽曲抽出手段３０Ａ、楽曲分離手段３０Ｂ及び編曲実行手段３０Ｃを有する。これら各機能については、後述する。
【００２６】
楽曲送信サーバ３の制御部３０は、情報の演算、及び処理を行う情報演算処理装置であり、当該楽曲送信サーバ３の全体を制御するものである。制御部３０は、記憶部３５に記憶された各種プログラムを適宜読み出して実行することにより、楽曲送信サーバ３のハードウェアと協働し、本発明に係る各種機能を実現している。
なお、本発明でいうコンピュータとは、制御部、記憶装置等を備えた情報処理装置をいい、楽曲送信サーバ３は、制御部３０、記憶部３５等を備えた情報処理装置であり、本発明のコンピュータの概念に含まれる。
【００２７】
送信部３３及び受信部３４は、当該楽曲送信サーバ３を、通信ネットワーク２を介して携帯電話機１に接続できるようにするためのネットワーク・アダプタである。送信部３３及び受信部３４は、モデム、ケーブルモデム及びイーサネット（登録商標）・アダプタを含んでよい。
【００２８】
記憶部３５は、データ部３６及びプログラム部３７を有する。データ部３６は、パートデータが結合された楽曲ファイルを複数有する。プログラム部３７は、編曲プログラム３７Ａ及び楽曲送信プログラム３７Ｂを有する。また、記憶部３５は、制御部３０と組み合わせてプログラムの実行に使用するメモリを含んでよい。記憶部３５を実現するものとして、電気的、磁気的、光学的、電磁的に実現するものを含んでよい。より具体的には、半導体記憶装置、磁気ディスク、ＲＡＭ、ＲＯＭ等が含まれる。楽曲送信サーバ３と外部接続することができる磁気テープ、ＣＤ−ＲＯＭとＣＤ−Ｒ／ＷとＤＶＤとを含む光ディスクや、メモリカード等の補助記憶装置も含む概念である。
【００２９】
楽曲送信サーバ３のハードウェアの数に制限はない。必要に応じて、１又は複数で構成してよい。また、必要に応じてＤＢ（データベース）サーバ、アプリケーションサーバ等の各種サーバを含んで構成してよく、１台のサーバで構成しても、それぞれ別のサーバで構成してもよい。
【００３０】
次に、楽曲送信サーバ３のデータ部３６に記憶された楽曲ファイルの構成について説明する。
図２は、第１実施形態に係る楽曲ファイルの構成を説明するための概念図である。
データ部３６には、複数の楽曲ファイルが記憶されており、例えば、楽曲ファイルＡから楽曲ファイルＸが記憶されている。楽曲ファイルの各々は、複数のチャンネルを有しており、各チャンネルには、それぞれ異なるパートデータが対応付けられている。例えば、楽曲ファイルＡは、チャンネルａ１にメロディのパートデータが、チャンネルａ２にギターのパートデータが、チャンネルａ３にドラムのパートデータが、チャンネルａ４にベースのパートデータが、それぞれ対応付けられている。パートデータは、例えば、ｍｉｄｉ（Ｍｕｓｉｃａｌ  Ｉｎｓｔｒｕｍｅｎｔ  Ｄｉｇｉｔａｌ  Ｉｎｔｅｒｆａｃｅ）形式のデータに代表される音色、音程、音の長さ等を表す情報である。そのため、パートデータは、音源を介すことで、各々の楽器のパートの音を出力することができる。
【００３１】
次に、楽曲送信サーバ３での編曲方法について説明する。
図３は、第１実施形態に係る編曲方法を説明するための概念図である。
図３に示す例では、楽曲ファイルＡの楽曲のうち、ギターのパートをアレンジ（編曲）する場合である。まず、データ部３６に記憶された楽曲ファイルＡを取り出す（＃１）。楽曲ファイルＡは、チャンネルａ１〜ａ４に対応付けられたパートデータが結合された状態で記憶されている。
次に、パートデータを分離する（＃２）。パートデータごとに分離することで、個々のパートデータに対する処理を簡易に行うことができる。
【００３２】
そして、チャンネルａ２に対応付けられたギターのパートデータを取り出して、編曲プログラム３７Ａ（図１参照）を実行する。実行した結果、ギターのパートデータは、編曲されたギターアレンジのパートデータ（編曲パートデータ）が作成される（＃３）。
最後に、チャンネルａ２の対応付けを、ギターのパートデータからギターアレンジのパートデータに変更し、ギターアレンジのパートデータと、編曲していないメロディ、ドラム及びベースのパートデータ（原曲パートデータ）とを抽出する（＃４）。
【００３３】
このように、抽出された各パートデータを用いて同時に再生することで、ギターパートが編曲された楽曲を再生することができる。よって、選択した楽曲に対する編曲をし、編曲した楽曲を提供することができるので、変化に富んだ演奏をすることができる。また、所定のパートデータを逐次編曲するので、編曲したパートデータを予め記憶しておく必要がなく、編曲した楽曲全体を記憶する場合に比べて、データ管理の負荷を軽減できる。
【００３４】
次に、本機能の処理について説明する。
図４は、第１実施形態に係る携帯電話機１及び楽曲送信サーバ３での処理を示すフローチャートである。
図５は、第１実施形態に係る携帯電話機１の動作例を示す図である。
まず、携帯電話機１での処理について説明する。ステップＳ１１では、携帯電話機１の制御部１０は、入力部１７から入力された楽曲名（楽曲特定情報）、アレンジするパート及びアレンジバリエーション（編曲指示情報）を受け付ける。ここで、アレンジするパートとは、編曲したいパートをいい、例えば、ギターやドラム等の楽器のパートをいう。アレンジバリエーションとは、例えば、ロック調やボサノバ調等の曲のジャンルをいう。なお、楽曲名の代わりに楽曲を一意に表す楽曲ＩＤ等を用いてもよい。
次に、ステップＳ１２では、携帯電話機１の制御部１０は、送信部１３を介してステップＳ１１で受け付けた各種情報を楽曲送信サーバ３に送信する。
【００３５】
次に、楽曲送信サーバ３での処理について説明する。ステップＳ３１では、楽曲送信サーバ３の制御部３０は、ステップＳ１２で携帯電話機１から送信された各種情報を、受信部３４を介して受信する。各種情報とは、楽曲名、アレンジするパート及びアレンジバリエーションをいう。
次に、ステップＳ３２では、楽曲送信サーバ３の制御部３０（楽曲抽出手段３０Ａ）は、楽曲名に基づき、対応する楽曲ファイルをデータ部３６から抽出する。
【００３６】
ステップＳ３３では、楽曲送信サーバ３の制御部３０（楽曲分離手段３０Ｂ）は、図３の（＃２）で説明したように、抽出した楽曲ファイルを複数のパートデータに分離する。
ステップＳ３４では、楽曲送信サーバ３の制御部３０（編曲実行手段３０Ｃ）は、アレンジするパートのパートデータを、受信したアレンジバリエーションに基づき編曲し、編曲パートデータを作成する。具体的には、アレンジするパートデータを入力データとして、制御部３０が編曲プログラム３７Ａ（図１参照）を実行し、要求されたバリエーションのアレンジ処理をすることで、編曲パートデータが作成される。
ステップＳ３５では、楽曲送信サーバ３の制御部３０は、編曲パートデータと、アレンジしていないパートデータ（つまり、アレンジが要求されていないパートのパートデータ）とを、各パートデータに分離された状態で送信部３３を介して携帯電話機１に送信する。
【００３７】
他方、ステップＳ１３において、携帯電話機１の制御部１０は、受信部１４を介して楽曲送信サーバ３から送信された各パートデータを受信する。
次に、ステップＳ１４では、携帯電話機１の制御部１０は、入力部１７から楽曲の再生を受け付けたか否かを判断する。楽曲の再生を受け付けた場合（ステップＳ１４：ＹＥＳ）には、制御部１０は、処理をステップＳ１５に移す。他方、楽曲の再生を受け付けていない場合（ステップＳ１４：ＮＯ）には、楽曲の再生を受け付けるまで、処理をステップＳ１４にとどめる。
【００３８】
ステップＳ１５では、携帯電話機１の制御部１０は、楽曲の再生が終了したか否かを判断する。楽曲の再生が終了した場合（ステップＳ１５：ＹＥＳ）には、本処理を終了する。他方、楽曲の再生が終了していない場合（ステップＳ１５：ＮＯ）には、制御部１０は、処理をステップＳ１６に移す。
ステップＳ１６では、携帯電話機１の制御部１０は、センサ１２が動き（位置の変位）を検出中か否か、つまり、センサ１２から動きを検出した信号を受信したか否かを判断する。センサ１２が動きを、図５に示すように、例えば、携帯電話機１をユーザが手に持って左右に振ることで、検出することができる。センサ１２が動きを検出中である場合（ステップＳ１６：ＹＥＳ）には、制御部１０は、処理をステップＳ１７に移す。他方、センサ１２が動きを検出していない場合（ステップＳ１６：ＮＯ）には、制御部１０は、処理をステップＳ１８に移す。
【００３９】
ステップＳ１７では、携帯電話機１の制御部１０（楽曲再生手段１０Ａ）は、音声出力部１６を介してスピーカ１８から編曲パートデータ入りの各パートデータを再生し、処理をステップＳ１５に移す。
他方、ステップＳ１８では、携帯電話機１の制御部１０（楽曲再生手段１０Ａ）は、音声出力部１６を介してスピーカ１８から編曲パートデータを除く各パートデータを再生し、処理をステップＳ１５に移す。
なお、ステップＳ１７及びステップＳ１８での各パートデータの再生は、１秒間程度とし、制御部１０が、処理をステップＳ１５に移すことで、携帯電話機１の位置の変位を検出している間は、編曲パートを含む楽曲を出力し、以外は、編曲パートを除く楽曲を出力するように制御できる。
【００４０】
以上、説明したように、楽曲送信サーバ３は、編曲パートデータと、編曲したパートデータを除いたパートデータの各々とを分離した状態で送信するので、携帯電話機１では、各々のパートデータを、個々に扱うことができる。また、携帯電話機１は、各パートデータに分離した状態で再生するので、携帯電話機１側でパートデータを分離する処理を行わずに済むため、携帯電話機１のシステム負荷を軽減できる。
さらに、センサ１２が位置の変位を検出したか否かにより、センサ１２が位置の変位を検出した場合、つまり、例えば、携帯電話機１を振ることで、位置の変位を検出している間はアレンジしたパートデータを音声出力することで、携帯電話機１を楽器代わりにしてあたかも演奏をしているような気分に浸ることができる。
【００４１】
（第２実施形態）
次に、本発明を適用した楽曲送信システムの第２実施形態について説明する。
第２実施形態は、楽曲送信サーバで分離したパートデータを結合した場合を示すものである。
なお、以下の説明及び図面において、上述した第１実施形態と同様の機能を果たす部分には、同一の符号又は末尾に同一の符号を付して、重複する説明を適宜省略する。
【００４２】
図６は、第２実施形態に係る楽曲送信システム２００の構成及び機能ブロックを示す図である。楽曲送信システム２００は、ＰＣ（パソコン）２０１と楽曲送信サーバ２０３とが、通信ネットワーク２を介して接続されている。ＰＣ２０１は、第１実施形態で説明した携帯電話機１とは異なり、センサを有していない。そのため、楽曲再生中は、編曲パートデータを含む楽曲を常時出力する構成である。
また、楽曲送信サーバ２０３は、制御部２３０を有する。制御部２３０は、楽曲抽出手段３０Ａ、楽曲分離手段３０Ｂ、編曲実行手段３０Ｃの他に、結合手段２３０Ｄを有する。結合手段２３０Ｄは、編曲実行手段３０Ｃにより編曲パートデータを作成後、編曲パートデータと、編曲したパートデータを除く各パートデータとを結合して楽曲ファイルを作成する。
【００４３】
楽曲送信サーバ２０３は、編曲パートデータと、編曲したパートデータを除いたパートデータの各々とを結合させて楽曲ファイルとして送信するので、ＰＣ２０１では、楽曲ファイルとして１つのデータとして扱って、各パートデータを同時に再生することができる。このようにすることで、ＰＣ２０１は、パートデータを結合する処理を行わずに済むため、ＰＣ２０１のシステム負荷を軽減でき、容易に楽曲ファイルを扱うことができる。
【００４４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４５】
（変形形態）
実施形態では、端末の位置の変位を検出するものとして、加速度センサとして説明した。しかし、これに限らず、ＣＣＤ（Ｃｈａｒｇｅ  Ｃｏｕｐｌｅｄ  Ｄｅｖｉｃｅｓ）等の撮像素子を備えるカメラを端末が備える構成とし、カメラを利用してもよい。撮像素子の画像データを所定時間ごとに比較して、端末の変位を検出することができる。
実施形態では、１つのパートデータを編曲するものであった。しかし、これに限らず、２つ以上のパートデータを編曲してもよい。それにより、さらに変化に富んだ楽曲の演奏を提供できる。
実施形態では、端末の位置の変位を検出している間は、編曲パートデータ入りの各パートデータを再生し、端末の位置の変位を検出していない間は、編曲パートデータを除く各パートデータを再生するものであった。しかし、これに限らず、端末の位置の変位を検出している間は、編曲パートデータのみを再生してもよい。それにより、楽曲を編曲したパートの演奏を提供できる。
【図面の簡単な説明】
【００４６】
【図１】第１実施形態に係る楽曲送信システムの構成及び機能ブロックを示す図である。
【図２】第１実施形態に係る楽曲ファイルの構成を説明するための概念図である。
【図３】第１実施形態に係る編曲方法を説明するための概念図である。
【図４】第１実施形態に係る携帯電話機及び楽曲送信サーバでの処理を示すフローチャートである。
【図５】第１実施形態に係る携帯電話機の動作例を示す図である。
【図６】第２実施形態に係る楽曲送信システムの構成及び機能ブロックを示す図である。
【符号の説明】
【００４７】
１      携帯電話機
３      楽曲送信サーバ
１０，３０  制御部
１０Ａ  楽曲再生手段
１２    センサ
１３，３３  送信部
１４，３４  受信部
１５，３５  記憶部
１６    音声出力部
３０Ａ  楽曲抽出手段
３０Ｂ  楽曲分離手段
３０Ｃ  編曲実行手段
３６    データ部
３７    プログラム部
３７Ａ  編曲プログラム
３７Ｂ  楽曲送信プログラム
１００，２００  楽曲送信システム
２３０Ｄ  結合手段
【図１】
0005221973.tif 000002
【図２】
0005221973.tif 000003
【図３】
0005221973.tif 000004
【図４】
0005221973.tif 000005
【図５】
0005221973.tif 000006
【図６】
0005221973.tif 000007